(57)【要約】【課題】使用時に誤使用を容易に確認できる諸機能を付与した袋状輸液容器を提供することにある。【解決手段】内容物を取り出す際の貫通孔を設けるための弾性部を有する口栓の外円周が積層材料からなる袋の最内面層に接着されて連設され、四辺が熱融着されている袋に、容易に剥離できる機能が付与された所定幅のヒートシール部で隔離した上下の２つの内容液収納部を設け、前記ヒートシール部の袋の表裏両表面にそれぞれ誤使用確認用の異なる識別表示部を設けたものからなることを特徴とする。【選択図】図１
2005008236.tif 000002
【特許請求の範囲】
【請求項１】
内容物を取り出す際の貫通孔を設けるための弾性部を有する口栓の外円周が積層材料からなる袋の最内面層に接着されて連設され、四辺が熱融着されている袋に、容易に剥離できる機能が付与された所定幅のヒートシール部で隔離した上下の２つの内容液収納部を設け、前記ヒートシール部の袋の表裏両表面にそれぞれ誤使用確認用の異なる識別表示部を設けたものからなることを特徴とする袋状輸液容器。
【発明の詳細な説明】
【０００１】
【発明の属する技術分野】
本発明は液体の内容物を充填し、使用時に口栓の弾性部に設けた貫通孔を経由して内容物を取り出す袋状輸液容器に関するものである。
【０００２】
【従来の技術】
袋状容器は環境問題やその取り扱いの利便性から種類、数量共に大幅に増えている。飲料容器、食品容器、農薬容器、医療用容器に関しても同様で、昔は瓶容器やリジットなプラスチックボトルであったものが廃棄物の削減、割れないという取り扱いの利便性等からプラスチックフィルムからなる袋が大幅に増加している。近年、このプラスチックフィルムからなる袋に、さらに中身を取り出しやすくする為に口栓を付けた袋状容器が多く使用されている。例えば、スポーツ飲料等の袋状容器、あるいは、内容液収納部を２つ設け、使用時に２つの収納部に充填された内容液を混合して、口栓のゴム弾性部に中空針を貫通させて、その中空針を経由して混合液を滴下しながら使用する袋状輸液容器などがある。
【０００３】
【発明が解決しようとする課題】
しかしながら、従来の袋状輸液容器では、使用時に２つの内容液収納部に充填した内容液を混合して使用するように、容器表面あるいは使用説明書に記載されていても、内容液を混合するのを忘れてしまい、誤って１つの収納部の内容液だけを投与した場合、使用途中でその誤使用を確認することが非常に困難であり、重大な誤用事故を招く等の問題点があった。
【０００４】
本発明の課題は、使用時に誤使用を容易に確認できる諸機能を付与した袋状輸液容器を提供することにある。
【０００５】
【課題を解決するための手段】
本発明の請求項１に係る発明は、内容物を取り出す際の貫通孔を設けるための弾性部を有する口栓の外円周が積層材料からなる袋の最内面層に接着されて連設され、四辺が熱融着されている袋に、容易に剥離できる機能が付与された所定幅のヒートシール部で隔離した上下の２つの内容液収納部を設け、前記ヒートシール部の袋の表裏両表面にそれぞれ誤使用確認用の異なる識別表示部を設けたものからなることを特徴とする袋状輸液容器である。
【０００６】
【作用】
本発明によれば、２つの内容液収納部を隔離する為に設けたヒートシール部に容易に剥離可能な機能が付与されているので、使用時にそのヒートシール部分を手で剥離して内容液流路を設け、２つの内容液を容易に混合することが可能であり、さらに前記ヒートシール部の容器の表側表面に誤用防止用の所定形状若しくは色の識別表示部を設け、裏側の表面に誤用防止用の他の形状若しくは色の識別表示部を設けているので、２つの内容液収納部にそれぞれ内容液を充填し、密封したものを使用前に外側から透視した場合は、前記の表側の識別表示部と裏側の識別表示部の両方が重なり合った状態で見ることになり、使用中は前記ヒートシール部が剥離されているので外側から袋を視認した時、表側あるいは裏側に当初設けられた識別表示部のみを見ることになり、ヒートシール部を剥離し、内容液の流路を設けた履歴が確認でき、正常に内容液が混合されて使用されていることを確認できるので誤使用防止が可能で、重大な過失事故の発生を防止できる。
【０００７】
【発明の実施の形態】
本発明の袋状輸液容器を実施の形態に沿って、以下に説明する。
【０００８】
図１（ａ）は本発明の一実施の形態を示す袋状輸液容器を外側から透視した状態を説明した平面図であり、（ｂ）は（ａ）の袋状輸液容器の表側だけを外側から見た状態を説明した平面図であり、（ｃ）は（ａ）の袋状輸液容器の裏側だけを外側から見た状態を説明した平面図であり、袋状輸液容器（１）は、シール強度が強いヒートシール部（１１、１２、１３）、シール強度が弱く、容易に剥離できる機能を付与したヒートシール部（１４）、内容液収納部（１５、１６）、口栓（１７）、吊り下げ用の孔部（１８）、誤使用確認用の識別表示部（２０、２０ａ、２０ｂ）を有しており、前記識別表示部（２０）は正反対形状の破線状の識別表示部（２０ａ）及び（２０ｂ）が重なり合った状態で、一本の実線として視認される。
【０００９】
前記識別表示部（２０ａ）がある色の線状形状で、識別表示部（２０ｂ）が他の色の線状形状のものでも良く、その場合は識別表示部（２０）は両方が重なり合った状態の色の線として視認される。例えば、識別表示部（２０ａ）に黄色の直線を設けた場合は識別表示部（２０ｂ）には青色の直線を設けることにより、識別表示部（２０）は外側から透視した場合に緑色に見える。
【００１０】
前記識別表示部（２０ａ、２０ｂ）を設ける方法は、前記ヒートシール部（１４）の容器表面に直接印刷して設ける方法あるいは印刷したテープを貼る方法などが使用できる。
【００１１】
前記ヒートシール部（１４）のシール強度は０．２〜２Ｎ／１５ｍｍ幅程度で非常に弱く、容易に剥離できるようになっている。ヒートシール部（１４）に前記機能を付与する方法は種々あるが、例えば具体例として、片方の層が積層材料のシーラント層とヒートシールした時のシール強度が１０Ｎ／１５ｍｍ幅以上で、他方の層が積層材料のシーラント層とヒートシールした時のシール強度が０．２〜２Ｎ／１５ｍｍ幅である二層構成の材料を用いて、所定形状にカットしたテープをヒートシール部（１４）の袋の内側に挿入して表側及び裏側の積層材料で挟み、両側からヒートシールすれば、テープの片面は袋の最内面と強く接着し、他方の面は袋の最内面との接着が弱い状態になり、ヒートシール部（１４）を手で剥離する時は接着が弱い部分から容易に剥離することができ、内容液流路を簡単に設けることができる。
【００１２】
図２（ａ）は袋状輸液容器の使用前の側面の部分拡大図であり、ヒートシール部（１４）は融着しており、内容液収納部（１５）と内容液収納部（１６）は隔離された状態であり、（ｂ）は袋状輸液容器の使用中の側面の部分拡大図であり、ヒートシール部（１４）は応力（Ｐ）で左右に容易に剥離され、内容液収納部（１５）の内容液が内容液流路（２１）を経て内容液収納部（１６）に流れ込むようになっている。
【００１３】
図３（ａ）は本発明の袋状輸液容器の一実施例の口栓の斜視図であり、（ｂ）は前記口栓の外周全面が袋の最内面層と接着している状態を説明した概略図であり、口栓（１７）は、外側の樹脂部（１７ａ）と内側の弾性部（１７ｂ）からなっている。内側の弾性部（１７ｂ）に使用する材質はゴムまたはエラストマーからなっているのが好ましい。外側の樹脂部（１７ａ）に使用する樹脂は袋状輸液容器の最内面層（３５）と接着可能なものであれば良い。勿論、外側の樹脂部（１７ａ）が無く、ゴム又はエラストマーの単一素材の弾性部（１７ｂ）だけの構成でも良い。
【００１４】
前記袋状輸液容器（１）を使用する時は、内容液収納部（１５）及び（１６）に内容液を充填後に、孔部（１８）を引っかけて口栓（１７）を下方にして吊り下げ、しかる後にヒートシール部（１４）を剥離して内容液流路（２１）を設け、内容液収納部（１５）及び（１６）に充填された内容液を混合し、口栓（１７）の中央のゴム又はエラストマーからなる弾性部（１７ｂ）を貫通させた中空針などを経由して混合液を取り出す。この時、ヒートシール部（１４）は剥離され、内容液流路（２１）が設けられているので、表側と裏側の積層材料は分離され、外側から容器を視認した時は表側及び裏側にそれぞれ当初設けられた識別表示部（２０ａ、２０ｂ）の形状あるいは色を確認することになり、ヒートシール部（１４）が剥離されて、正常に内容液が混合されて使用されていることを容易に確認でき、重大な過失事故を防止出来る。
【００１５】
図４は本発明の袋状輸液容器に使用されている積層材料の一実施例を示す側断面図であり、積層材料（３０）は厚み方向に順に、基材層（３１）、接着剤層（３２）、中間層（３３）、接着剤層（３４）、シーラント層（３５）が積層されている。
【００１６】
前記基材層（３１）は、透明なプラスチックフィルム、例えば、二軸延伸ナイロンフィルム、二軸延伸ポリエステルフィルム等を使用する。
【００１７】
前記中間層（３３）は、袋の強度を補強する為あるいはガスバリア性向上の為に積層するもので、例えば、二軸延伸ナイロンフィルムあるいは二軸延伸ポリエステルフィルムに酸化珪素若しくは酸化アルミニウムなどの無機酸化物の蒸着薄膜層を積層した積層フィルムが好ましい。
【００１８】
前記接着剤層（３２、３４）には、一般的にポリウレタン系接着剤を使用する。通常、水酸基を持った主剤とイソシアネート基を持った硬化剤とを２液混合して使用する２液型が使用される。その積層方法は公知のグラビアコート方式で積層する。塗布量は１〜５ｇ／ｍ２（乾燥状態）が良い。
【００１９】
前記シーラント層（３５）は、ポリオレフィン系樹脂からなり、低密度ポリエチレン樹脂、直鎖状低密度ポリエチレン樹脂、中密度ポリエチレン樹脂、高密度ポリエチレン樹脂、ポリプロピレン樹脂等は使用できる。厚みは適宜選定可能であるが、通常３０〜４００μｍのものを使用する
【００２０】
【発明の効果】
本発明の袋状輸液容器は、内容物を取り出す際の貫通孔を設けるための弾性部を有する口栓の外円周が積層材料からなる袋の最内面層に接着されて連設され、四辺が熱融着されている袋に、容易に剥離できる機能が付与された所定幅のヒートシール部で隔離した上下の２つの内容液収納部を設け、前記ヒートシール部の袋の表裏両表面にそれぞれ誤使用確認用の異なる識別表示部を設けたものからなっているので、容器に内容液を充填したものを吊り下げて使用する時に容易に誤使用しているかどうかを見分けることができ、重大な過失事故を防止できる。
【図面の簡単な説明】
【図１】（ａ）は本発明の一実施の形態を示す袋状輸液容器を外側から透視した状態を説明した平面図であり、（ｂ）は（ａ）の袋状輸液容器の表側だけを外側から見た状態を説明した平面図であり、（ｃ）は（ａ）の袋状輸液容器の裏側だけを外側から見た状態を説明した平面図である。
【図２】（ａ）は本発明の袋状輸液容器の使用前の側面の部分拡大図であり、（ｂ）は使用中の側面の部分拡大図である。
【図３】（ａ）は本発明の袋状輸液容器の一実施例の口栓の斜視図であり、（ｂ）は前記口栓の外周全面が袋の最内面層と接着している状態を説明した概略図である。
【図４】本発明の袋状輸液容器に使用されている積層材料の一実施例を示す側断面図である。
【符号の説明】
１…袋状輸液容器
１１，１２，１３，１４…ヒートシール部
１５，１６…内容液収納部
１７…口栓
１７ａ…樹脂部
１７ｂ…弾性部
１８…孔部
２０，２０ａ，２０ｂ…識別表示部
２１…内容液流路
３０…積層材料
３１…基材層
３２，３４…接着剤層
３３…中間層
３５…シーラント層
Ｐ…応力
【図１】
2005008236.tif 000003
【図２】
2005008236.tif 000004
【図３】
2005008236.tif 000005
【図４】
2005008236.tif 000006